(57)【要約】【課題】  大便器または小便器の下に敷設され、裏面に縦横に複数の裏足が直交して形成されてなる陶板であって、これを敷設する際に固定部で締め付けられても陶板が欠けたり、割れたりすることがない陶板の提供。【解決手段】    排水管を通すための貫通孔と、当該陶板および／または前記排水管に接続される連結部材を、前記床面に固定する固定具を通すための貫通孔とを有する陶板において、裏足を、前記排水管用貫通孔の周辺部において、前記排水管用貫通孔周辺部以外の領域よりも、その間隔が狭く配置する。【選択図】  図３
2019063125.tif 000002
【特許請求の範囲】
【請求項１】
便器下に床面に敷設され、前記床面に接する側に、縦横に複数の裏足が直交して形成されてなる陶板であって、
排水管を通すための貫通孔と、当該陶板および／または前記排水管に接続される連結部材を、前記床面に固定する固定具を通すための貫通孔とを有してなり、
前記裏足が、前記排水管用貫通孔の周辺部において、前記排水管用貫通孔周辺部以外の領域よりも、その間隔が狭く配置されてなることを特徴とする、陶板。
【請求項２】
固定具用貫通孔が、裏足が存在しない場所に設けられてなる、請求項１に記載の陶板。
【発明の詳細な説明】
【技術分野】
【０００１】
本発明は、便器下の床面に敷設される陶板に関し、さらに詳しくは、排水管用および固定具用の貫通孔が設けられ、かつ裏足が設けられた、便器下の床面に敷設される陶板に関する。
【背景技術】
【０００２】
大便器、小便器の床面への設置にあたり、便器回りの意匠および汚れ防止のために、陶板を置くことが行われている。この陶板には、排水管用の貫通孔が設けられる。さらに、このような陶板の床面への固定は、モルタル、接着剤などにより行われるが、固定をより確実にするため、連結部材を固定するため、ビスなどの固定具用の貫通孔が設けられることがある。さらにこの貫通孔は、排水管と便器とを接続するソケット等と呼ばれる連結部材を固定するため固定具用の貫通孔を兼ねることがある。
【０００３】
このような排水管用および固定具用の貫通孔は、陶板の製造工程の過程（好ましくは最終段階）で、便器の種類に応じて、あらかじめ設けられることが一般的である。これにより、現場での敷設作業が迅速に行える。
【０００４】
また、このような陶板には、モルタル、接着剤による床面への固定を確実にするために、その裏面に凹凸が設けられることがある。
【先行技術文献】
【特許文献】
【０００５】
【特許文献１】特開平０６−００６５７６号公報
【発明の概要】
【発明が解決しようとする課題】
【０００６】
本発明者らの得た知見によれば、排水管用および固定具用の貫通孔が設けられた陶板を実際に敷設する際、固定具の締め付けにより陶板が欠けたり、割れたりすることが観察された。本発明は、このような欠損がし難い陶板を提供する。すなわち、本発明は、敷設の際に割れなどの欠損が生じにくい陶板の提供をその目的としている。
【課題を解決するための手段】
【０００７】
そして、本発明による陶板は、
便器下に床面に敷設され、前記床面に接する側に、縦横に複数の裏足が直交して形成されてなる陶板であって、
排水管を通すための貫通孔と、当該陶板および／または前記排水管に接続される連結部材を、前記床面に固定する固定具を通すための貫通孔とを有してなり、
前記裏足が、前記排水管用貫通孔の周辺部において、前記排水管用貫通孔周辺部以外の領域よりも、その間隔が狭く配置されてなることを特徴とするものである。
【図面の簡単な説明】
【０００８】
【図１】陶板１を小便器下に敷設する態様の図である。
【図２】陶板１の床面２への固定の態様の図である。
【図３】陶板１の床面２と接する面の模式図である。
【図４】図３に示される陶板１の一部拡大図であり、凸部１１、すなわち裏足が縦横に複数直交していており、その裏足に囲まれて形成されたマス目に閉じた凹部１２を備える。
【図５】陶板１を敷設しながら、小便器を設置する説明図である。
【図６】排水ソケット７の固定用ビス穴７３に、固定ビス８を貫通させて、床面２に打ち付け、陶板１と排水ソケット７を固定した状態を示す図である。
【図７】裏足１１が、排水管用貫通孔１３の周辺部においても、排水管用貫通孔１２の周辺部以外の領域においても同様の広い間隔で設けられた陶板の模式図である。
【図８】図７に示される陶板を、排水ソケット７の固定用ビス穴７３に、固定ビス８を貫通させて、床面２に打ち付け、排水ソケット７とともに固定した状態を示す図である。
【発明を実施するための形態】
【０００９】
本発明において「陶板」は、陶磁器からなるものであり、大便器または小便器下に床面に敷設されて使用される。図１は、小便器下に敷設される陶板の説明図である。図において、本発明による陶板１は、排水口２１のある床面２と、給水口３１のある壁面３との間に小便器４を設置するにあたり、床面２と小便器４の間に置かれる。なお、図にあるように、壁面３と小便器４との間にパネル５が設置されることがあるが任意である。図２は、陶板１の床面２への固定の態様を示す図であり、床面２にモルタル、接着剤等により固着される。図２が示すように、陶板１の便器と接する側の面は平坦であり、場合により化粧が施される、あるいは防汚のための加工、処理がなされていてよい。
【００１０】
他方、陶板１の床面２と接する側の面には、凹凸が設けられ、凹部にモルタル、接着剤などが入り込み、床面への固定をより確実にするよう機能する。図３は、陶板１の床面２と接する面の模式図であり、縦横に複数直交している部分が凸部１１、すなわち裏足であり、マス目に閉じた部分が凹部１２および１５である。図４は、図３に示される陶板１の一部拡大図であり、凸部１１、すなわち裏足が縦横に複数直交していており、その裏足に囲まれて形成されたマス目に閉じた凹部１２を備える。さらに、図３に示されるように、陶板１の中央には、排水管を通すための貫通孔１３と、この態様にあっては、この貫通孔１３と連続した孔としての、固定具を通すための貫通孔１４が設けられてなる。この図の態様にあっては、貫通孔１４は二か所に設けられてなる。
【００１１】
本発明にあっては、図３に示されるように、この裏足１１が、排水管用貫通孔１３の周辺部において、排水管用貫通孔１３の周辺部以外の領域よりも、その間隔が狭く配置されてなる。すなわち、図が示すように、排水管用貫通孔１３の周辺部における凹部１５は、排水管用貫通孔１２の周辺部以外の領域の凹部１２よりも小さいものとなる。
【００１２】
本発明の好ましい態様によれば、貫通孔１４は、本来、裏足１１が存在する箇所に設けられず、裏足が存在しない凹部１５の箇所に設けられる。図３は、貫通孔１４は、裏足１１が存在しない凹部１５の箇所に設けられた態様を示す
【００１３】
図５は、本発明による陶板を敷設しながら、小便器を設置する際の説明図である。図５に示されるように、陶板１を、床面２に設けられた排水口２１に、貫通孔１３を合わせて固定する。続いて、排水口２１と小便器の排水口（図示せず）とを、シール材６を介して、排水ソケット７により接続する。排水ソケット７は、小便器の排水口に接続する小便器側接続口７１と、リム部７２とを備え、リム部７２には、この排水ソケット７と陶板１とを床面２に固定するビスが通る、固定用ビス穴７３が設けられてなる。
【００１４】
図６は、排水ソケット７の固定用ビス穴７３に、固定ビス８を貫通させて、床面２に打ち付け、陶板１と排水ソケット７を固定した状態を示す図である。本発明による陶板にあっては、上記のとおり、裏足１１が、排水管用貫通孔１３の周辺部において間隔が狭く配置されてなる。その結果、固定ビス８を打ち付けて、力が加わっても陶板１の変形は小さい。本発明によるこの効果は、間隔が狭く配置された複数の裏足１１が取り囲む凹部１５の位置に固定具用貫通孔１４が存在するよう構成されることで奏される。この効果は、凹部１５を取り囲む裏足１１の少なくとも一部が存在しない場合であっても期待でき、例えば図３に記載の態様にあっては、排水管用貫通孔１３と固定具用貫通孔１４は連続、連結して一体となっており、この連結部分の裏足１１が存在しない状態にあるが、少なくとも対向する一対の裏足１１が（図６の断面視方向に）存在するため、固定ビス８を打ち付け力が加わっても陶板１の変形は小さい。
【００１５】
他方、図７は、本発明による陶板と異なり、裏足１１が、排水管用貫通孔１３の周辺部においても、排水管用貫通孔１３の周辺部以外の領域においても同様の広い間隔で設けられた、従来知られた陶板の模式図である。さらにこの態様にあっては、固定具を通すための貫通孔１４が、本来裏足が存在する位置にある。そのため、図６と同様に、固定ビス８を貫通させて、床面２に打ち付け、陶板１と排水ソケット７を固定すると、図８に示されるように、固定ビス８からの応力により陶板１がたわみ（図中の点線は、たわみを強調したものである）、場合よって割れにつながるおそれがある。図６に示されるように、本発明による陶板にあっては、固定ビス８からの応力は、裏足の間隔が狭いため、陶板１のたわみが小さく（図中の点線は、同様にたわみを強調したものである）、その割れにつながるおそれが小さい。
【００１６】
本発明の一つの態様によれば、陶板には複数の排水管用貫通孔と、固定具用貫通孔とを備え、その結果、１枚で複数の便器の下に敷設できる大型または長尺の形状としてもよい。また、図３にあっては排水管用貫通孔と固定具用貫通孔とが一体化されて設けられた態様を示したが、これら排水管用貫通孔と固定具用貫通孔とは別々に独立ものとして設けられてもよい。
【００１７】
本発明による陶板は、金型を使用したプレス成形により一般的には製造される。本発明による陶板にあっては、排水管用貫通孔の周辺部において、排水管用貫通孔周辺部以外の領域よりも、裏足同士の間隔が狭く配置された構造を有する。排水管用貫通孔および固定具用貫通孔は、陶板の成形後の加工により設けられることが好ましい。従って、陶板の成形にあたっては、排水管用貫通孔および固定具用貫通孔が設けられるであろう一定の領域において、裏足の間隔を狭くした構造とする。このような一定の領域において裏足の間隔を狭くしておくことで、多様な形状、構造の便器に、裏足の配置を変更させること無く対応でき、また陶板の軽量化と強度とを両立できる。
【符号の説明】
【００１８】
１…陶板、１１…裏足、１２…排水管用貫通孔１３の周辺部以外の領域の凹部、１３…排水管を通すための貫通孔、１４…固定具を通すための貫通孔、１５…排水管用貫通孔１３の周辺部の領域の凹部、２…床面、２１…排水口、３…壁面、４…小便器、５…パネル、６…シール材、７…排水ソケット、７１…小便器側接続口、７２…リム部、７３…固定用ビス穴
【図１】
2019063125.tif 000003
【図２】
2019063125.tif 000004
【図３】
2019063125.tif 000005
【図４】
2019063125.tif 000006
【図５】
2019063125.tif 000007
【図６】
2019063125.tif 000008
【図７】
2019063125.tif 000009
【図８】
2019063125.tif 000010